(57)【特許請求の範囲】
【請求項１】
縦方向、横方向および厚さ方向を有し、肌側表面を形成する透液性表面シートと、前記肌側表面の反対面である着衣側表面を形成する不透液性裏面シートと、前記表面シートおよび前記裏面シートの間に介在する吸液性構造体と、前記吸液性構造体の前記縦方向に延びる一対の側縁のそれぞれに沿って延びる一対の防漏カフとを備える体液吸収性物品において、
前記吸液性構造体は、前記裏面シートに対向する下方吸液部と、前記下方吸液部の上方にあって前記表面シートに対向する上方吸液部とを有し、
前記下方吸液部は、吸液性材料として少なくとも吸水性繊維を含んでいて、前記吸液性構造体における前記縦方向および前記横方向の全域に亘って広がっており、
前記上方吸液部は、少なくとも高吸収性ポリマー粒子を含む吸液性材料を透液性のラッピングシートで被覆することにより形成されていて、前記吸液性構造体における前記横方向のうちの少なくとも両側部分に個別に形成されて前記縦方向へ延びる側方部分を有し、
一対の前記防漏カフのそれぞれは、前記表面シートにおける前記肌側表面に接合していて前記縦方向に延びる固定部と、前記縦方向に弾性的に伸長された状態で延びていて収縮可能でありかつ前記体液吸収性物品の前記横方向の外側に向かって起立可能に倒伏しているカフ部と、前記体液吸収性物品の前記縦方向における両端部それぞれに前記固定部と前記カフ部とが固定された状態にある一対の端部とを有し、
一対の前記防漏カフのそれぞれはまた、前記固定部が前記表面シートを介して個別に形成されている前記側方部分と重なり合っていることを特徴とする前記体液吸収性物品。
【請求項２】
前記横方向において、前記側方部分どうしの間には、前記上方吸液部の一部分であって前記側方部分のそれぞれからは離間した状態にある中間部分が形成されている請求項１記載の体液吸収性物品。
【請求項３】
前記ラッピングシートが、前記吸液性構造体の前記一対の側縁の間に広がって前記縦方向へと延び前記厚さ方向において対向する上方ラッピングシートと下方ラッピングシートとからなり、前記上方ラッピングシートと前記下方ラッピングシートとの間に前記吸液性材料を介在させることによって、前記側方部分が形成され、前記側方部分どうしの間で前記上方ラッピングシートと下方ラッピングシートとが接合している請求項１記載の体液吸収性物品。
【請求項４】
前記ラッピングシートが、前記吸液性構造体の前記一対の側縁の間に広がって前記縦方向へと延び前記厚さ方向において対向する上方ラッピングシートと下方ラッピングシートとからなり、前記上方ラッピングシートと前記下方ラッピングシートとの間に前記吸液性材料を介在させることによって、前記側方部分と前記中間部分とが形成され、前記側方部分それぞれと前記中間部分との間で前記上方ラッピングシートと前記下方ラッピングシートとが接合している、請求項２記載の体液吸収性物品。
【請求項５】
前記体液吸収性物品が前記横方向へ互いに並行して延びる第１折曲線と第２折曲線とにおいて、前記表面シートを内側にして三つに折り重ねられた状態にあり、前記第１、第２折曲線が前記上方吸液部の前記側方部分それぞれと交差している請求項１または２記載の体液吸収性物品。
【請求項６】
前記固定部と前記カフ部との境界は、前記側方部分の前記横方向の外縁よりも前記横方向の内側に位置している、請求項１または２記載の体液吸収性物品。
【請求項７】
起立可能に倒伏している前記カフ部は、前記一対の端部の間に位置する部分の全体が前記側方部分に重なっている、請求項１または２記載の体液吸収性物品。
【発明の詳細な説明】
【技術分野】
【０００１】
この発明は、体液吸収性物品に関し、さらに詳しくは、軽失禁パッド、パンティライナ、生理用ナプキン、吸尿パッド等として使用するのに好適な体液吸収性物品に関する。
【背景技術】
【０００２】
従来、パンツ等に当てて使用するための体液吸収性物品は、公知である。たとえば、特許文献１には、表面シートと裏面シートとの間に第１吸収体と第２吸収体とが介在する着用物品が開示されている。この着用物品は、パンティライナや生理用ナプキンなどとして使用するのに好適なもので、第１吸収体と第２吸収体とは、重なり合った状態で使用されている。
【先行技術文献】
【特許文献】
【０００３】
【特許文献１】特開２０１０−１１０５３５号公報
【発明の概要】
【発明が解決しようとする課題】
【０００４】
特許文献１に記載の着用物品は、裏面シートをパンツの内面に当て、表面シートをパンツ着用者の肌に密着させるようにして着用する。しかし、表面シートと肌とが離間して両者の間に隙間が生じると、表面シートに向かって排泄された体液が着用物品の幅方向へ流れて、いわゆる横漏れが生じ易くなる。
【０００５】
この発明では、吸尿パッド等の体液吸収性物品に対して、それを着用したときの体液の横漏れを防止することができるように、改良を施すことを課題にしている。
【課題を解決するための手段】
【０００６】
そこでこの発明は、縦方向、横方向および厚さ方向を有し、肌側表面を形成する透液性表面シートと、前記肌側表面の反対面である着衣側表面を形成する不透液性裏面シートと、前記表面シートおよび前記裏面シートの間に介在する吸液性構造体と、前記吸液性構造体の前記縦方向に延びる一対の側縁のそれぞれに沿って延びる一対の防漏カフとを備える体液吸収性物品を改良することにある。
【０００７】
この発明の特徴は、以下のとおりである。
前記吸液性構造体は、前記裏面シートに対向する下方吸液部と、前記下方吸液部の上方にあって前記表面シートに対向する上方吸液部とを有する。
前記下方吸液部は、吸液性材料として少なくとも吸水性繊維を含んでいて、前記吸液構造体における前記縦方向および前記横方向の全域に亘って広がっている。
前記上方吸液部は、少なくとも高吸収性ポリマー粒子を含む吸液性材料を透液性のラッピングシートで被覆することにより形成されていて、前記吸液性構造体における前記横方向のうちの少なくとも両側部分に個別に形成されて前記縦方向へ延びる側方部分を有する。
一対の前記防漏カフのそれぞれは、前記表面シートにおける前記肌側表面に接合していて前記縦方向に延びる固定部と、前記縦方向に弾性的に伸長された状態で延びていて収縮可能でありかつ前記体液吸収性物品の前記横方向の外側に向かって起立可能に倒伏しているカフ部と、前記体液吸収性物品の前記縦方向における両端部それぞれに前記固定部と前記カフ部とが固定された状態にある一対の端部とを有する。
一対の前記防漏カフのそれぞれはまた、前記固定部が前記表面シートを介して個別に形成されている前記側方部分と重なり合っている。
【発明の効果】
【０００８】
この発明では、吸収性ポリマー粒子を含む上方吸液部の側方部分と防漏カフの固定部とが重なり合っているので、高吸収性ポリマーが体液を吸収して膨潤することに伴い上方吸液部の厚さが増加すると、厚さが増加した分だけ防漏カフが肌に接近して防漏カフと肌との間隙を縮めて体液が防漏カフと肌との間から横漏れすることを防ぐことができる。
【図面の簡単な説明】
【０００９】
【図１】体液吸収性物品の一例である吸尿パッドの部分破断平面図。
【図２】図１のＩＩ−ＩＩ線断面図。
【図３】尿を吸収した吸尿パッドについての部分図。
【図４】個包装されている吸尿パッドの側面図。
【図５】着用状態にある吸尿パッドの側面図。
【図６】実施態様の一例である吸尿パッドについての図１と同様な図。
【図７】図６のＶＩＩ−ＶＩＩ線断面図。
【図８】吸尿パッドの他の態様を示す図２と同様の図。
【発明を実施するための形態】
【００１０】
この発明に係る体液吸収性物品として吸尿パッドを例にとり、添付図面を参照して発明の詳細を説明すると、以下のとおりである。
【００１１】
図１および図２において、Ｘ、Ｙ、Ｚは吸尿パッド１についての互いに直交する横方向と縦方向と厚さ方向とを示し、線Ｐは吸尿パッド１の横方向Ｘにおける寸法を二等分する縦中心線を示し、線Ｑは吸尿パッド１の縦方向Ｙにおける寸法を二等分する横中心線を示している。図１の吸尿パッド１は、縦方向Ｙに伸展された状態にあり、着用した場合に着用者の前側に位置する部分が図１の上方となるように配置されている。図１における仮想線Ａ、Ｂは、後記図４に例示されるように吸尿パッド１が折り重ねられるときの吸尿パッド１に対する折曲線を示している。図１の吸尿パッド１において、折曲線Ａよりも上方の部分は前端部Ｌであり、折曲線Ｂよりも下方の部分は後端部Ｎであり、折曲線ＡとＢとの間の部分は中間部Ｍである。
【００１２】
吸尿パッド１は、縦中心線Ｐおよび横中心線Ｑのうちの少なくとも縦中心線Ｐに関して対称に形成してあり、厚さ方向Ｚには肌側表面１ａとその反対面である着衣側表面１ｂとを有する。吸尿パッド１はまた、肌側表面１ａを形成している透液性の表面シート２と、着衣側表面１ｂを形成している不透液性の裏面シート３と、これら表面シート２と裏面シート３との間に介在する吸液性構造体１０と、一対の防漏カフ３０とを有している。表面シート３には、粘着剤７２が塗布され、その粘着剤７２が剥離紙７３によって被覆保護されている。
【００１３】
表面シート２および裏面シート３は、吸液性構造体１０の周縁部から延出して互いに重なり合って接合することにより周縁部６を形成している。周縁部６は、縦方向Ｙの両端に位置する両端縁部４および横方向Ｘの両側に位置する両側縁部５を含んでいる。
【００１４】
吸液性構造体１０は、表面シート２の側に位置する第１吸液層２１と、裏面シート３の側に位置する第２吸液層４１とを有している。第１吸液層２１と表面シート２、第２吸液層４１と裏面シート３、および第１吸液層２１と第２吸液層４１とは、ホットメルト接着剤（図示せず）を介して互いに接合されている。
【００１５】
第１吸液層２１は、透液性であって厚さ方向Ｚにおいて互いに対向する上方ラッピングシート２３ａと下方ラッピングシート２３ｂとの間に吸液性の第１芯材２２を介在させた上方吸液部２４と、第１芯材２２を介在させることなく上方ラッピングシート２３ａと下方ラッピングシート２３ｂとが接着、溶着、機械的交絡の少なくともいずれか一つによって接合している非吸液部２５とを有する。図示例の第１吸液層２１は、縦方向Ｙに長い矩形に形成されていて、上方吸液部２４は、第１吸液層２１の縦方向Ｙへ延びる一対の側縁部２７にそれぞれ沿って延びる側方部分２４ｂ、２４ｃと、側方部分２４ｂと２４ｃとの間にあって縦方向中心線Ｐに沿って延びる中央部分２４ａとに分けられている。第１芯材２２は、高吸収性ポリマー粒子を１００〜５０重量％、粉砕パルプ等の吸水性繊維を０〜５０重量％の割合で含んでいる吸液性材料の集合体であり、本実施態様における吸尿パッド１では、高吸収性ポリマー粒子のみで形成されている。高吸収性ポリマー粒子は、側方部分２４ｂ、２４ｃおよび中央部分２４ａにおいて上方ラッピングシート２３ａおよび／または下方ラッピングシート２３ｂに間欠的に塗布されたホットメルト接着剤（図示せず）によってその位置が固定されていることが好ましい。図示例の非吸液部２５は、上方ラッピングシートと下方ラッピングシート２３ｂとがホットメルト接着剤（図示せず）を介して接合することにより形成されている。非吸液部２５のうちで第１吸液層２１の両端部に形成されている第１領域２５ａと、非吸液部２５のうちで側方部分２４ｂ、２４ｃのそれぞれと中央部分２４ａとの間に形成されている第２領域２５ｂとにおいては、上方ラッピングシート２３ａと下方ラッピングシート２３ｂとがホットメルト接着剤を介して接合するとともに、エンボス加工を施されて機械的に交絡している。このような第１吸液層２１では、側方部分２４ｂ、２４ｃおよび中央部分２４ａの周囲において上方ラッピングシート２３ａと下方ラッピングシート２３ｂとがホットメルト接着剤を介して接合することと、これら両シート２３ａ、２３ｂにエンボス加工を施すことによって、第１芯材２２を形成している高吸収性ポリマー粒子が側方部分２４ｂ、２４ｃや中央部分２４ａに閉じ込められた状態にある。
【００１６】
下方吸液部である第２吸液層４１は、粉砕パルプ等の吸水性繊維の集合体である第２芯材４２と、この第２芯材４２を被覆する透液性のラッピングシート４３とで形成されている。図示例の第２吸液層４１は、平面形状が亜鈴型に形成されていて、縦方向Ｙの寸法が第１吸液層２１の縦方向Ｙの寸法よりも大きい。
【００１７】
防漏カフ３０は、撥水性シート、不透液性シート、撥水性にして不透液性のシートのいずれかによって形成されていることが好ましいもので、固定部３３と、カフ部３４とを有する。固定部３３は、第１吸液層２１の側縁２７に沿って縦方向Ｙへ延びていて表面シート２の肌側表面にホットメルト接着剤（図示せず）を介して接合し、カフ部３４は、折曲部３５において幅方向Ｘの外側に向かって折曲され、固定部３３の上に起立可能に倒伏している。カフ部３４はまた、縦方向Ｙへ延びる縁部が折り返されることによってスリーブ３４ｂが形成され、スリーブ３４ｂの内側には弾性部材３２が縦方向Ｙへ伸長された状態で取り付けられていて、縦方向Ｙにおいて弾性的に収縮可能である。固定部３３とカフ部３４との縦方向Ｙにおける端部３３ａ、３４ａは、互いに重なり合った状態で吸尿パッド１の縦方向Ｙの端縁部４に対してホットメルト接着剤（図示せず）を介して固定されていて、防漏カフ３０における端部３０ａを形成している。
【００１８】
吸尿パッド１が着用されて厚さ方向Ｚにおいて湾曲し、弾性部材３２が収縮すると、倒伏していたカフ部３４は図２の仮想線の如くに固定部３３から起立して、スリーブ３４ｂの近傍が着用者の肌（図示せず）に接近または密着して、吸尿パッド１における尿の横漏れを防ぐように作用する。
【００１９】
そのように作用する防漏カフ３０のそれぞれにおいて、固定部３３との境界となるカフ部３４の基縁Ｆと横方向Ｘにおける基縁Ｆの近傍は、表面シート２を介して第１吸液層２１の側方部分２４ｂまたは２４ｃに重なっている。カフ部３４の基縁Ｆは、側方部分２４ｂ、２４ｃの横方向外縁２７ｂ、２７ｃよりも、横方向Ｘ内側に位置している。なお、図２の例において、防漏カフ３０のカフ部３４は基縁Ｆと平行な折曲部３５において折曲されているが、カフ部３４は、基縁Ｆにおいて折曲されていてもよいものである。
【００２０】
吸尿パッド１において、表面シート２には、熱可塑性合成繊維で形成され、透液性を有する不織布や透液性の開孔プラスチックフィルムを親水化処理して使用することができる。その不織布には、たとえば、エアスルー不織布、ポイントボンド不織布、スパンボンド不織布などがある。熱可塑性合成繊維には、ポリエチレン、ポリプロピレン、ポリエチレンテレフタレート等の熱可塑性合成樹脂で形成された繊維や、二種類の熱可塑性合成樹脂で形成された複合繊維がある。不織布には、単位面積当たりの質量が、１０〜６０ｇ／ｍ２、より好ましくは１５〜３０ｇ／ｍ２のものを使用し、プラスチックフィルムには厚さが約１０〜４０μｍのものを使用することが好ましい。
【００２１】
裏面シート３には、厚さが約１０〜４０μｍのプラスチックフィルムを使用することが好ましいが、実質的な意味において、不透液性である繊維不織布を使用することもできる。なお、裏面シート３に使用したプラスチックフィルムは、その着衣側表面に繊維不織布を積層して、布様の肌触りを有するものにすることができる。
【００２２】
防漏カフ３０の防漏シート３１には、熱可塑性合成繊維で形成され、難透液性または不透液性を有する不織布や不透液性のプラスチックフィルムを使用することができる。不織布には、たとえば、スパンボンド・メルトブロー・スパンボンド不織布（ＳＭＳ不織布、ｓｐｕｎ−ｂｏｎｄｅｄ・ｍｅｌｔ−ｂｌｏｗｎ・ｓｐｕｎ−ｂｏｎｄｅｄ  ｎｏｎｗｏｖｅｎ  ｆａｂｒｉｃ）、エアスルー不織布、ポイントボンド不織布、スパンボンド不織布等を用いることができる。
【００２３】
高吸収性ポリマー粒子には、たとえばデンプン系、アクリル酸系、アミノ酸系等のものであって、自重の少なくとも１０倍以上の水を吸収可能であり、水不溶性かつ水膨潤性のポリマーを用いることができる。なお、この発明において高吸収性ポリマー粒子というときには、粒子状に形成されているものの他に、繊維状に形成されているものをも意味している。上方ラッピングシート２３ａと下方ラッピングシート２３ｂとには、熱可塑性合成繊維で形成された透液性の不織布やティッシュペーパーを使用することができる。上方吸液部２４における高吸収性ポリマー粒子の単位面積当たりの使用量は、１００〜４００ｇ／ｍ２であることが好ましい。
【００２４】
第１吸液層２１に吸水性繊維を使用する場合、木材フラッフパルプ等のパルプ繊維、レーヨンステープル等の再生繊維、およびこれらを混合したものを使用することができる。
【００２５】
図３は、図２の吸尿パッド１が着用されて尿を吸収したときの側方部分２４ｃと防漏カフ３０の状態を示す吸尿パッド１の部分図であって、仮想線は尿を吸収していないときの吸尿パッド１を示している。吸尿パッド１が着用されて縦方向Ｙにおいて湾曲すると（後記図４参照）、弾性部材３２の収縮に伴って防漏カフ３０が仮想線の如くに起立する。その吸尿パッド１が尿を吸収すると、上方吸液部２４の側方部分２４ｃでは、そこに閉じ込められている高吸収性ポリマー粒子が尿を吸収して膨潤するとともに、側方部分２４ｃにおける上方ラッピングシート２３ａとそれに重なる表面シート２とが変形して、仮想線で示されている側方部分２４ｃの断面形状が、実線で示されているようにふくらんだ状態に変化し、厚さ方向Ｚの寸法が最大でＨだけ増加する。側方部分２４ｃは、その下側に第２吸液層４１があることや下方ラッピングシート２３ｂが第２吸液層４１のラッピングシート４３に接合していること等によって、図の下方に向かってはふくらみ難く、上方に向かって膨らんで寸法Ｈだけ高さが高くなり、着用者の肌に向かって隆起した状態となる。固定部３３が側方部分２４ｃに重なっていて基縁Ｆから起立するカフ部３４もまた、最大で寸法Ｈだけ上昇し、仮想線の状態から実線の状態へと変化する。その結果として、側方部分２４ｃにおいて起立していた防漏カフ３０は、たとえば寸法Ｈだけ着用者の肌に接近して、防漏カフ３０と肌との間の間隙を縮めるかまたは肌に対して強く密着する。なお、図示していない側方部分２４ｂとそれに重なる防漏カフ３０とは、尿を吸収すると、側方部分２４ｃとそれに重なる防漏カフ３０と同様な挙動を示す。カフ部３４がこのように上昇することが可能な防漏カフ３０では、固定部３３が側方部分２４ｂ、２４ｃに対して接合していて、幅方向Ｘにおいて基縁Ｆが側方部分２４ｂ、２４ｃの内側に位置している。
【００２６】
図３の側方部分２４ｂ、２４ｃではまた、膨潤した高吸収性ポリマー粒子が互いに密着してゲルブロックを形成した状態で充満している。そのゲルブロックが縦方向Ｙにおいて折曲線Ａ、Ｂのそれぞれと交差して端部３０ａと３０ａとの間に延びている側方部分２４ｂ，２４ｃは、柔軟ではあるがそれを曲げることが難しいものになる。そのような側方部分２４ｂ、２４ｃから起立する防漏カフ３０のカフ部３４は、端部３０ａを除く縦方向Ｙの全長が容易に起立する。
【００２７】
第１吸液層２１における非吸液部２５は、表面シート２から第２吸液層２２に向かっての尿の移動を可能にする部位でもある。その移動を容易にするために、表面シート２と上方ラッピングシート２３ａとを接合するためのホットメルト接着剤、上方ラッピングシート２３ａと下方ラッピングシート２３ｂとを接合するためのホットメルト接着剤、および下方ラッピングシート２３ｂと第２吸液層４１のラッピングシート４３とを接合するためのホットメルト接着剤は、間欠的に塗布されていることが好ましい。また、その尿の移動を容易にするために、非吸液部２５では、上方ラッピングシート２３ａと下方ラッピングシート２３ｂとを貫通する開孔を形成しておくことができる。
【００２８】
第２吸液層４１は、第１吸液層２１で吸収することのできなかった尿を吸収保持するための部位である。そのような第２吸液層４１の第２芯材４２は、粉砕パルプ等の吸水性繊維の集合体である。ラッピングシート４３には、上方ラッピングシート２３ａまたは下方ラッピングシート２３ｂと同じものを使用することができる。また、第２吸液層４１は、それが吸収すべき尿の量が少ない場合には、図２に例示の第２芯材とラッピングシート４３とに代えて１枚または複数枚のティッシュペーパー等の吸水性シートを使用することもできる。
【００２９】
第１吸液層２１における上方吸液部２４を形成するための方法の一例では、ホットメルト接着剤（図示せず）を、上方ラッピングシート２３ａおよび下方ラッピングシート２３ｂのうちのいずれか一方のラッピングシートにおける上方吸液部２４に塗布し、その上方吸液部２４に向かって高吸収性ポリマー粒子を散布した後、非吸液部２５にまで散布されている高吸収性ポリマー粒子を除去する。その後、もう一方のラッピングシートの全面にホットメルト接着剤を塗布して両ラッピングシート２３ａ、２３ｂを重ね合わせ、非吸液部２５において接着することにより、両ラッピングシート２３ａ、２３ｂの間に高吸収性ポリマー粒子が収容されている上方吸液部２４と、高吸収性ポリマー粒子が実質的には存在していない非吸液部２５とを得ることができる。また別の例では、特開２０１０−２２０７６号公報に記載されるように、吸気孔を有する成形型の上に上方ラッピングシート２３ａおよび下方ラッピングシート２３ｂのうちのいずれか一方のラッピングシートを載せ、吸気孔から吸引しつつ上から高吸収性ポリマーを堆積させることにより、成形型の形状通りに高吸収性ポリマーを堆積させる。その後、非吸液部２５にホットメルト接着剤を塗布してあるもう一方のラッピングシートを重ねて接合することにより、上方吸液部２４と非吸液部２５とを得る。非吸液部２５では、上方ラッピングシート２３ａと下方ラッピングシート２３ｂとが互いに接合した状態にあるので、上方吸液部２４に含まれている高吸収性ポリマー粒子は、それが上方吸液部２４の内部を自由に動き得るものであったとしても、非吸液部２５に侵入することがない。
【００３０】
非吸液部２５は、このように高吸水性ポリマー粒子の存在しない部位であるが、吸尿パッド１の製造過程における技術上の能力等に起因して、非吸液部２５の本来の作用を著しく阻害しない程度の量の高吸収性ポリマー粒子が存在することもあり得る部位である。この発明では、この意味において、非吸液部２５には、高吸収性ポリマー粒子が実質的には存在しない、という。
【００３１】
図４は、個包装されている吸尿パッド１の側面図である。吸尿パッド１は、中央部Ｍに後端部Ｎが重なり、後端部Ｎに前端部Ｌが重なるように、図１における折曲線Ａ、Ｂに沿って表面シート２を内側にして折り畳まれている。その吸尿パッド１を包装するために使用されている不織布またはプラスチックフィルムで形成された包装用シート７１は、仮想線で示されている。また、吸尿パッド１の裏面シート３には粘着剤７２が塗布され、その粘着剤７２が剥離紙７３によって被覆保護されている。好ましい剥離紙７３は、包装用シート７１に剥離不能に接合している。
【００３２】
図５は、図４の吸尿パッド１が個包装を解かれ剥離紙７３が剥がされ、粘着剤７２を介してパンツの股部７５の内面に取り付けられている状態にあるときの吸尿パッド１の側面図である。粘着剤７２は、折曲線ＡとＢとの間に塗布してあって、股部７５に取り付けた吸尿パッド１は、折り畳まれていたときの折り癖の影響で前端部Ｌと後端部Ｎとが仮想線の如く立ち上がる傾向にある。パンツが着用されて吸尿パッド１に体圧がかかると、吸尿パッド１は実線で示された形状になるとともに防漏カフ３０のカフ部３４は縦方向Ｙにおいて緊張状態になる。しかし、パンツの股部７５が身体から離れて吸尿パッド１に体圧がかからなくなると、吸尿パッド１は再び仮想線の形状になるとともにカフ部３４は弾性部材３２が弛緩状態となってその高さが低くなる。しかるに、吸尿パッド１では、側方部分２４ｂ、２４ｃが尿を吸収して高吸収性ポリマー粒子がゲルブロックを形成すると、そのゲルブロックが折曲線Ａ、Ｂと交差することによって（図１参照）、吸尿パッド１の前端部Ｌと後端部Ｎとが図示例の如く立ち上がることを抑えて、カフ部３４を実線の状態の如く縦方向Ｙに緊張させることができる。緊張状態にあるカフ部３４は、弛緩状態にあるカフ部３４よりも厚さ方向Ｚにおける丈が高く、尿の横漏れを防ぐことに優れている。
【００３３】
図６、７は、実施態様の一例を示す吸尿パッド１の平面図と、その平面図におけるＶＩＩ−ＶＩＩ線断面図である。
【００３４】
図６、７の吸尿パッド１には、表面シート２から裏面シート３に向かって凹となり縦方向Ｙへ延びる二条の圧縮溝５０が形成されている。図示例において、その圧縮溝５０は、部分５０ａ〜５０ｇに分断されているが、分断されることのない一連のものに代えることもできる。圧搾溝５０は、第１吸液層２１の非吸収部２５と重なる位置にあって、この圧搾溝５０では、表面シート２と、上方ラッピングシート２３ａと、下方ラッピングシート２３ｂと、第２吸液層４１のラッピングシート４３と、第２芯材４２とが密着し、より好ましくは、重なり合うものどうしが機械的に交絡した状態で密着している。このような状態により、表面シート２上の尿は、圧縮溝５０の底部から第２吸液層２２へと容易に移動する。
【００３５】
図示例の吸尿パッド１に基づいて説明したこの発明は、吸尿パッド１の他に、吸尿パッド１とは平面形状の異なる吸尿パッドや、軽失禁パッド、パンティライナ、生理用ナプキン等の吸収性物品として実施することもできる。
【００３６】
図示例の吸尿パッド１では、第１吸液層２１の上方吸液部２４が、中央部分２４ａおよび側方部分２４ｂ，２４ｃを有するものであったが、吸尿パッド１は、中央部分２４ａが存在していなくてもよいものでもある。ただし、中央部分２４ａが存在することにより、吸尿パッド１が吸尿量の多いものになることは当然であるが、着用者の陰部にフィットし易い構造のものにもなる。
【００３７】
また、側方部分２４ｂ，２４ｃは、縦方向Ｙに一連のものとして存在していることによって、高吸収性ポリマー粒子が膨潤したときの側方部分２４ｂ、２４ｃは、防漏堤としても作用する。しかし、中央部分２４ａに設けられた上方吸液部２４でゲルブロックが形成されて第１吸液層２１から第２吸液層４１への尿の移動が困難になることを避けたい場合には、中央部分２４ａにおける上方吸液部を、縦方向Ｙに複数、たとえば３つに分割して、中央部分２４ａどうしの間に透液性の非吸液部２５を設け、上方吸液部２４において高吸液性ポリマー粒子がゲルブロックを形成した場合であっても、非吸液部２５を介して、第１吸液層２１から第２吸液層４１への尿移動をさせることができる。
【００３８】
また、図１〜７に示す吸尿パッド１は、２層の吸液層２１，４１を有する吸液性構造体１０を有するが、この発明は、２層以上の吸液層を有する体液吸収性物品で実施することができる。たとえば、第１吸液層２１と第２吸液層４１との間に第３の吸液層を設けることができる。また、第１吸液層２１における中央部分２４ａの真下にだけ第３の吸液層を設けて、吸尿パッド１の中央部分２４ａに相当する部分を中高に形成することができる。第２吸液層４１は、中央部分２４ａの真下において、中高に形成することができる。第２吸液層４１の第２芯材４２は、高吸収性ポリマー粒子と吸収性繊維の混合物であってもよい。たとえば、第２芯材４２は、吸水性繊維を１００〜５０重量％、吸収性ポリマー粒子を０〜５０重量％の割合で含むことができる。
【００３９】
図８は、実施態様の他の一例としての吸尿パッド１０１を示す図２と同様の図である。図８において、図１、２に例示の吸尿パッド１と同様の構造については、同じ参照番号を使用している。吸尿パッド１の吸液構造体１１０において、高吸液性ポリマー粒子を含む第１芯材２２をラッピングシート１２３でそれぞれ個別に被覆することによって、側方部分１２４ｂ、１２４ｃと中央部分１２４ａとを含む上方吸液部１２４を形成している。
【００４０】
本明細書中で使用される「接合」および「接合する」との用語は、ホットメルト接着剤、ヒートシール、ソニックシール、エンボス加工のうちの少なくとも１つによって、２つの対象物を一体化することを意味している。
【００４１】
なお、体液吸収性物品を構成する部材には、特に明記されていない限りにおいて、本明細書に記載されている材料のほかに、この種の分野において通常用いられている材料および／または公知の材料を制限なく用いることができる。
【００４２】
また、本明細書において使用されている「第１」および「第２」なる用語は、この用語が使用されている要素、位置等を単に区別するためのものである。
【００４３】
以上に記載した本発明に関する開示は、少なくとも下記事項に要約することができる。
【００４４】
縦方向Ｙ、横方向Ｘおよび厚さ方向Ｚを有し、肌側表面１ａを形成する透液性表面シート２と、前記肌側表面の反対面である着衣側表面１ｂを形成する不透液性裏面シート３と、前記表面シート２および前記裏面シート３の間に介在する吸液性構造体１０と、前記吸液性構造体１０の前記縦方向Ｙに延びる一対の側縁２７のそれぞれに沿って延びる一対の防漏カフ３０とを備える体液吸収性物品において、
前記吸液性構造体１０は、前記裏面シート３に対向する下方吸液部４１と、前記下方吸液部４１の上方にあって前記表面シート２に対向する上方吸液部２４とを有し、
前記下方吸液部４１は、吸液性材料４２として少なくとも吸水性繊維を含んでいて、前記吸液構造体１０における前記縦方向Ｙおよび前記横方向Ｘの全域に亘って広がっており、
前記上方吸液部２４は、少なくとも高吸収性ポリマー粒子を含む吸液性材料２２を透液性のラッピングシートで被覆することにより形成されていて、前記吸液性構造体１０における前記横方向Ｘのうちの少なくとも両側部分に個別に形成されて前記縦方向Ｙへ延びる側方部分２４ｂ、２４ｃを有し、
一対の前記防漏カフ３０のそれぞれは、前記表面シート２における前記肌側表面１ａに接合していて前記縦方向Ｙに延びる固定部３３と、前記縦方向Ｙに弾性的に伸長された状態で延びていて収縮可能でありかつ前記体液吸収性物品の前記横方向Ｘの外側に向かって起立可能に倒伏しているカフ部３４と、前記体液吸収性物品の前記縦方向Ｙにおける両端部それぞれに前記固定部３３と前記カフ部３４とが固定された状態にある一対の端部３０ａとを有し、
一対の前記防漏カフ３０のそれぞれはまた、前記固定部３３が前記表面シート２を介して個別に形成されている前記側方部分２４ｂ、２４ｃと重なり合っていることを特徴とする前記体液吸収性物品。
【００４５】
前記段落００４４に開示した本発明は、少なくとも下記の実施の態様を含むことができる。
（１）前記横方向Ｘにおいて、前記側方部分２４ｂ、２４ｃどうしの間には、前記上方吸液部の一部分であって前記側方部分２４ｂ、２４ｃのそれぞれからは離間した状態にある中間部分２４ａが形成されている。
（２）前記ラッピングシートが、前記吸液性構造体の前記一対の側縁の間に広がって前記縦方向へと延び前記厚さ方向において対向する上方ラッピングシート２３ａと下方ラッピングシート２３ｂとからなり、前記上方ラッピングシート２３ａと前記下方ラッピングシート２３ｂとの間に前記吸液性材料２２を介在させることによって、前記側方部分２４ｂ、２４ｃが形成され、前記側方部分２４ｂ、２４ｃどうしの間で前記上方ラッピングシート２３ａと下方ラッピングシート２３ｂとが接合している。
（３）前記ラッピングシートが、前記吸液性構造体の前記一対の側縁の間に広がって前記縦方向へと延び前記厚さ方向において対向する上方ラッピングシート２３ａと下方ラッピングシート２３ｂとからなり、前記上方ラッピングシート２３ａと前記下方ラッピングシート２３ｂとの間に前記吸液性材料２２を介在させることによって、前記側方部分２４ｂ、２４ｃと前記中間部分２４ａとが形成され、前記側方部分２４ｂ、２４ｃそれぞれと前記中間部分２４ａとの間で前記上方ラッピングシート２３ａと前記下方ラッピングシート２３ｂとが接合している。
（４）前記体液吸収性物品が前記横方向Ｘへ互いに並行して延びる第１折曲線Ａと第２折曲線Ｂとにおいて、前記表面シート２を内側にして三つに折り重ねられた状態にあり、前記第１、第２折曲線Ａ、Ｂが前記上方吸液部２４の前記側方部分２４ａ、２４ｂそれぞれと交差している。
（５）前記固定部３３と前記カフ部３４との境界Ｆは、前記側方部分２４ａ、２４ｂの前記横方向Ｘの外縁２７ｂ、２７ｃよりも前記横方向Ｘの内側に位置している。
（６）起立可能に倒伏している前記カフ部３４は、前記一対の端部３０ａの間に位置する部分の全体が前記側方部分２４ｂ、２４ｃに重なっている。
【符号の説明】
【００４６】
１    吸尿パッド（体液吸収性物品）
１ａ  肌側表面
１ｂ  着衣側表面
２    表面シート
３    裏面シート
１０  吸液性構造体
２２  第１芯材（吸液性材料）
２３ａ  上方ラッピングシート（ラッピングシート）
２３ｂ  下方ラッピングシート（ラッピングシート）
２４  上方吸液部
２４ａ  中央部分
２４ｂ，２４ｃ  側方部分
２７  吸液性構造体の側縁
２７ｂ、２７ｃ  側方部分の横方向の外縁
３０  防漏カフ
３０ａ  端部
３３  固定部
３４  カフ部
４１  第２吸液層（下方吸液部）
４２  第２芯材（吸液性材料）
Ｘ    横方向
Ｙ    縦方向
Ｚ    厚さ方向
Ａ    第１折曲線
Ｂ    第２折曲線
Ｆ    基縁（防漏カフの固定部とカフ部との境界）
【図１】
0005871513.tif 000002
【図２】
0005871513.tif 000003
【図３】
0005871513.tif 000004
【図４】
0005871513.tif 000005
【図５】
0005871513.tif 000006
【図６】
0005871513.tif 000007
【図７】
0005871513.tif 000008
【図８】
0005871513.tif 000009